(57)【要約】【課題】導体パターンに非接触で容量結合した電極を用いた回路パターン検査装置においては、検査対象の導電パターンの微細化が進むと共に、得られる検査信号値が小さくなり、欠陥の判定が難しくなっている。【解決手段】回路パターン検査装置は、間隔を空けて配置された２組のセンサ対を備える検査部を移動しつつ、各導電パターンに交流信号からなる検査信号を容量結合により印加し、且つ導電パターンを伝搬した検査信号を容量結合により検出して、一度の移動による検査により各導電パターンから検査信号をそれぞれに検出し、これらの検出信号を判定基準値と比較して欠陥候補を選出し、各検査信号における導電パターンの位置を一致させて、欠陥候補どうしを比較し、同じパターン位置に共通して欠陥候補が存在する導電パターンを不良と判定する。【選択図】図１
2011033542.tif 000002
【特許請求の範囲】
【請求項１】
複数の導電パターンが列状に形成された基板を検査対象とし、
前記導電パターンのうちの第１の導電パターンに対して、共に、対向する第１の給電電極及び第１のセンサ電極を備える第１のセンサ対と、
前記第１の導電パターンから予め定めたパターン数分の距離を離れた第２の導電パターンに対して、共に、対向する第２の給電電極及び第２のセンサ電極を備える第２のセンサ対と、
前記第１のセンサ対と前記第２のセンサ対を保持し、前記導電パターンの上方に一定の距離で離間して、該導電パターンの列を交差するように移動させる移動部と、
前記移動部による前記第１のセンサ対と前記第２のセンサ対の移動中に、前記第１の給電電極及び前記第２の給電電極に、交流信号からなる同一の検査信号を供給し、前記第１の給電電極及び前記第２の給電電極が対向して容量結合した、それぞれの導電パターンに該検査信号を順次印加させる検査信号供給部と、
前記検査信号が印加された前記導電パターンにそれぞれに容量結合して前記第１のセンサ電極及び前記第２のセンサ電極により取得された第１の検出信号及び第２の検出信号に対して、予め定めた判定基準値を比較して欠陥候補を選出し、さらに、前記第１の検出信号上及び前記第２の検出信号上における導電パターンの位置が一致するように、いずれかの検出信号の位置を移動させる距離軸マッチングを行う検査信号処理部と、
前記導電パターンの位置が一致された前記第１の検出信号と前記第２の検出信号における前記欠陥候補どうしを比較し、同じパターン位置に共通して存在する欠陥候補を前記導電パターンの真の欠陥と判定する欠陥判定部と、
を具備することを特徴とする回路パターン検査装置。
【請求項２】
前記検査信号処理部は、
前記距離軸マッチング部に加えて、
前記検出信号から任意の間隔で信号値を取り出し、時系列的に直前の信号値との差分により、それぞれの差分信号を生成する差分値算出部と、
前記差分信号を掛け合わせて、該差分信号に含まれる信号の局所的に変化をより強調する積信号を生成する微小変化強調部と、
を備えることを特徴とする請求項１に記載の回路パターン検査装置。
【請求項３】
前記回路パターン検査装置において、
前記第１のセンサ対は、前記第１のセンサ電極から任意のパターン数を離れた第３の導電パターンの上方に離間して配置される第１のノイズ電極を有し、及び、
前記第２のセンサ対は、前記第２のセンサ電極から任意のパターン数を離れた第４の導電パターンの上方に離間して配置される第２のノイズ電極を有することを特徴とする請求項１に記載の回路パターン検査装置。
【請求項４】
前記回路パターン検査装置において、
前記欠陥判定部は、前記距離軸マッチング部により前記第１の検出信号及び前記第２の検出信号の検出タイミングを同期させた際に、前記移動部の移動速度に基づき決定される前記導電パターンの形成位置に、前記検出信号の局所的変化を照らし合わせて、欠陥を有する導電パターンを決定することを特徴とする請求項２に記載の回路パターン検査装置。
【請求項５】
複数の導電パターンが列状に形成された基板を検査対象とし、欠陥を有する導電パターンを検出するための前記導電パターンの列と交差する方向に所定のパターン数の距離を空けて並設される少なくとも２組の給電電極及びセンサ電極の対で構成された検査部を備える回路パターン検査装置の検査方法であって、
前記列と交差する方向に前記検査部を移動させて、それぞれの前記給電電極から交流信号からなる同一の検査信号を離間する異なる導電パターンに容量結合により順次印加し、
前記検査信号が印加されたそれぞれの前記導電パターンを伝搬した前記検査信号を容量結合により、それぞれに前記センサ電極から第１の検出信号及び第２の検出信号を取得し、
前記第１の検出信号及び第２の検出信号に対して、予め定めた判定基準値とを比較して欠陥候補を選出し、
前記第１の検出信号上及び前記第２の検出信号上における導電パターンの位置が一致するように、いずれかの検出信号の位置を移動させて距離軸マッチングを取り、
前記導電パターンの位置が一致された前記第１の検出信号と前記第２の検出信号における前記欠陥候補どうしを比較し、同じパターン位置に共通して存在する欠陥候補を前記導電パターンの真の欠陥と判定することを特徴とする回路パターン検査装置の検査方法。
【請求項６】
同期させた前記複数の検出信号から任意の間隔で信号値を取り出し、時系列的に直前の信号値との差分により、それぞれの差分信号を生成し、
前記差分信号を掛け合わせて、該差分信号に含まれる信号の局所的に変化をより強調する積信号を生成することを特徴とする請求項５に記載の回路パターン検査装置の検査方法。
【発明の詳細な説明】
【技術分野】
【０００１】
本発明は、基板上に形成された導電パターンの欠陥を非接触で検査可能な回路パターン検査装置に関する。
【背景技術】
【０００２】
近年、表示デバイスは、ガラス基板上に液晶を用いた液晶表示デバイス又は、プラズマを利用したプラズマ表示デバイスが主流となっている。これらの表示デバスイの製造工程の中で、ガラス基板上に形成された回路配線となる導電パターンに対して、断線及び短絡の有無の不良検査を行っている。
【０００３】
これまでの一般的な導電パターンの検査手法としては、例えば、特許文献１に記載されるように、導電パターンの両端に検査プローブのピン先を接触させて、一方の検査プローブから直流検査信号を印加し、他方の検査プローブから伝搬された直流検査信号を検出し、検出信号の有無により断線及び短絡の有無を検査する接触式の検査手法（ピンコンタクト方式）が知られている。
【０００４】
別の検査手法として、特許文献２には、少なくとも２つの検査プローブを導体パターンに近接させて、導体パターンとは非接触で容量結合した状態で移動させつつ、一方の検査プローブから交流検査信号を印加し、他方の検査プローブで導体パターンを伝搬した交流検査信号を検出する。検出信号の波形の変化により、導電パターンにおける断線及び短絡の有無の検査を行っている。
【先行技術文献】
【特許文献】
【０００５】
【特許文献１】特開昭６２−２６９０７５号公報
【特許文献２】特開２００４−１９１３８１号公報
【発明の概要】
【発明が解決しようとする課題】
【０００６】
前述した表示デバイスは、表示画面の大画面化が求められて、画面サイズがより大型化すると共に、表示画面の緻密さが求められて、表示画素の微細化が図られている。このため、表示画素の駆動用配線や信号線等の導電パターンが長くなると共に微細化されている。
【０００７】
多数の導電パターンに対して検査を行う場合、特許文献１で提案されるようなピン先を接触させる検査プローブでは、第１の方法として、配列された導電パターン上を横断するように検査プローブを摺動移動させて、順次検査を行うか、第２の方法として、導電パターン数と同じ数の検査プローブを配備して、一括的に検査プローブを接触させるか、又は、第３の方法として、検査プローブを上下動させつつ、選択的に導電パターンに接触するように移動させている。
【０００８】
検査プローブを摺動移動させた場合、ピン先が導電パターンへ接触した状態で移動するため、剥がれやキズによるダメージが問題となる。また、検査プローブを導電パターンに摺動せずに接触させる場合であっても、ピン先の接触により導電パターンへの押圧によるキズ等のダメージが問題となる。また、プログラム等を用いて検査プローブの接触動作及び移動の自動化を図ろうとする場合には、導電パターンの細線化及び配線間隔の微小化が進むほど位置制御が容易ではなくなる。
【０００９】
また、導体パターンに非接触で容量結合した電極を用いた検査装置においては、電極と対向する導電パターンの表面積の縮小が進むにつれて、検出される検査信号の値も小さくなっている。導電パターンに印加する検査信号の値を大きくすれば、検出される検査信号も大きくなるが、導電パターンの微細化に伴い、許容できる検査信号の値も小さくなってきている。また検出信号には、検査信号の他に外部から重畳されたノイズが含まれて検出されている。このため、検査信号がノイズか否かの判定に熟練度を要したり、コンピュータ判定を行う際には基準値の設定が難しくなったりしている。
【００１０】
また、検査対象基板に対して、１つのセンサ部を用いて、移動させた検査を行うと、１つの検出信号が得られる。１つの検出信号のみで判定を行った場合、閾値を厳しく設定することで、微少な信号変化から欠陥の有無を判定できるが、同時に検出信号に含まれている可能性があるノイズ成分に対しても判定対象としてしまうため、得られた判定結果が、真の欠陥のみであるか否かを確定できない。そのため、再度、同じ条件で２回目の検査を実施して、得られた２回目の検査結果を１回目の検査結果と比較して、欠陥の確定を行っている。このため、正確な検査結果を得るためには、同じ検査対象に対して、同じ検査条件で少なくとも２回の検査を行わなければならない。この検査方法では、正確な検査結果を得るために、２回分の検査を行う時間を費やすため、検査時間の短縮は容易なことではない。加えて、１回目の検査と２回目の検査との間に時間が空いてしまうと、同じ検査条件で検査することは、容易ではない。
【００１１】
そこで本発明は、基板上に配列された各導電パターンに対して、時系列的に複数組のセンサを用いて複数回検出し、それらの検出信号を積演算した判定信号を生成し、導電パターンの良不良の適正な判定を実現する回路パターン検査装置を提供することを目的とする。
【課題を解決するための手段】
【００１２】
上記目的を達成するために、本発明に従う実施形態は、複数の導電パターンが列状に形成された基板を検査対象とし、前記導電パターンのうちの第１の導電パターンに対して、共に、対向する第１の給電電極及び第１のセンサ電極を備える第１のセンサ対と、前記第１の導電パターンから予め定めたパターン数分の距離を離れた第２の導電パターンに対して、共に、対向する第２の給電電極及び第２のセンサ電極を備える第２のセンサ対と、前記第１のセンサ対と前記第２のセンサ対を保持し、前記導電パターンの上方に一定の距離で離間して、該導電パターンの列を交差するように移動させる移動部と、前記移動部による前記第１のセンサ対と前記第２のセンサ対の移動中に、前記第１の給電電極及び前記第２の給電電極に、交流信号からなる同一の検査信号を供給し、前記第１の給電電極及び前記第２の給電電極が対向して容量結合した、それぞれの導電パターンに該検査信号を順次印加させる検査信号供給部と、前記検査信号が印加された前記導電パターンにそれぞれに容量結合して前記第１のセンサ電極及び前記第２のセンサ電極により取得された第１の検出信号及び第２の検出信号に対して、予め定めた判定基準値と比較して欠陥候補を選出し、さらに、前記第１の検出信号上及び前記第２の検出信号上における導電パターンの位置が一致するように、いずれかの検出信号の位置を移動させる距離軸マッチングを行う検査信号処理部と、前記導電パターンの位置が一致された前記第１の検出信号と前記第２の検出信号における前記欠陥候補どうしを比較し、同じパターン位置に共通して存在する欠陥候補を前記導電パターンの真の欠陥と判定する欠陥判定部と、を具備する回路パターン検査装置を提供する。
【００１３】
さらに、複数の導電パターンが列状に形成された基板を検査対象とし、欠陥を有する導電パターンを検出するための前記導電パターンの列と交差する方向に所定のパターン数の距離を空けて並設される少なくとも２組の給電電極及びセンサ電極の対で構成された検査部を備える回路パターン検査装置の検査方法であって、前記列と交差する方向に前記検査部を移動させて、それぞれの前記給電電極から交流信号からなる同一の検査信号を離間する異なる導電パターンに容量結合により順次印加し、前記検査信号が印加されたそれぞれの前記導電パターンを伝搬した前記検査信号を容量結合により、それぞれに前記センサ電極から第１の検出信号及び第２の検出信号を取得し、前記第１の検出信号及び第２の検出信号に対して、予め定めた判定基準値を比較して欠陥候補を選出し、前記第１の検出信号上及び前記第２の検出信号上における導電パターンの位置が一致するように、いずれかの検出信号の位置を移動させて距離軸マッチングを取り、前記導電パターンの位置が一致された前記第１の検出信号と前記第２の検出信号における前記欠陥候補どうしを比較し、同じパターン位置に共通して存在する欠陥候補を前記導電パターンの真の欠陥と判定する回路パターン検査装置の検査方法を提供する。
【発明の効果】
【００１４】
本発明によれば、基板上に配列された各導電パターンに対して、時系列的に複数組のセンサを用いて複数回検出し、それらの検出信号を積演算した判定信号を生成し、導電パターンの良不良の適正な判定を実現する回路パターン検査装置を提供することができる。
【図面の簡単な説明】
【００１５】
【図１】図１は、本発明に係る回路パターン検査装置のデュアル検査部の概念的な構成を示す図である。
【図２】図２（ａ），（ｂ）は、回路パターン検査装置における欠陥の有無の判定について説明するための図である。
【図３】図３は、本実施形態に係る回路パターン検査装置の全体構成を示すブロック図である。
【図４】図４は、回路パターン検査装置のデュアル検査部の概念的な構成を示す図である。
【図５】図５（ａ）は、検査信号処理部におけるデュアルチャンネル電極による検出信号を示す図であり、図５（ｂ）は、検出信号に平滑化処理を施した信号を示す図であり、図５（ｃ）は、距離軸マッチング処理を施した検出信号を示す図である。
【図６】図６（ａ）は、距離軸マッチング処理された検出信号の差分を取った差分信号を示す図であり、図６（ｂ）は、差分信号に対して積演算による微小変化の強調処理を行った積信号を示す図であり、図６（ｃ）は、積信号におけるスパイクノイズを平滑化処理した信号を示す図である。
【図７】図７は、回路パターン検査装置における測定について説明するための図である。
【発明を実施するための形態】
【００１６】
以下、図面を参照して本発明の実施形態について詳細に説明する。  
本発明による回路パターン検査装置は、製造工程の中で、例えば、ガラス製の基板上に形成された複数列の導電パターン（配線パターン）の断線や短絡の不良パターンを検出するための基板とは別体の検査装置である。検査対象となる導電パターンは、例えば、液晶表示パネルやタッチ式パネル等に用いられている回路配線であり、複数列に平行配列された導電パターンや、さらに全ての導電パターンの一端側が短絡バーにより接続されている櫛歯状の導電パターンである。尚、基板上に形成される各導電パターンは、パターンの位置が確定できるのであれば、等間隔の配置でなくても検査可能である。さらに、後述するデュアル検査部が移動した際に、同じ導電パターン上に、給電電極とセンサ電極が対向できるパターンであれば、導電パターンの途中で曲がりや幅の変化があっても同等に検査可能である。尚、以下の説明では、理解しやすくするために、一定間隔で直線的な列状に形成される導電パターンを検査対象として説明する。
【００１７】
図１は、本発明に係る回路パターン検査装置のデュアル検査部の概念的な構成を示す図である。図２（ａ），（ｂ）は、回路パターン検査装置における欠陥の有無の判定について説明するための図である。
【００１８】
図１に示すように、回路パターン検査装置１は、ガラス基板等の絶縁性を有する基板１００上に形成された複数列の導電体パターン１０１上方に所定距離を離間して設けられるデュアル検査部２と、デュアル検査部２に交流からなる検査信号を供給する検査信号供給部１３と、デュアル検査部２から検出された検出信号に後述する信号処理を施す検査信号処理部５と、後述する制御部（図２に示す制御部６）内に設けられた欠陥判定部２０と、検査結果を含む検査情報を表示する表示部８と、を備えている。
【００１９】
デュアル検査部２は、給電電極とセンサ電極の一対からなる検査部を２組、有している。具体的には、デュアル検査部２は、検査信号を導電パターン１０１に供給（印加）するための給電電極２１（２１ａ，２１ｂ）を備える検査信号供給ユニット１１と、導電パターン１０１に供給されている検査信号を検出信号Ｓ０として検出するセンサ電極２２，２３を備えるセンサユニット１２とで構成される。この例では、同一の導電体パターン上方に位置する給電電極２１ａとセンサ電極２２からなる第１の検査部と、第１の検査部に対して数パターン分の距離が離れた導電パターン上方に共に位置する給電電極２１ｂとセンサ電極２３からなる第２の検査部とで構成される。給電電極２１ｂとセンサ電極２３においても、同一の導電体パターン上方に位置する。
【００２０】
検査信号供給部１３は、給電電極２１ａと給電電極２１ｂに、同電圧値で同じ周波数である交流の検査信号が同じ周期タイミングでそれぞれに印加される。給電電極２１ａ，２１ｂは、それぞれに対向する導電パターン１０１に対して、容量結合して、交流の検査信号を印加する。それらの検査信号は、導電パターン１０１を伝搬し、対向して容量結合するセンサ電極２２，２３に取得される。尚、検査信号は、容量結合で伝搬される信号であればよく、正弦波の交流だけではなく、矩形（パルス）波の信号であってもよい。
【００２１】
これらのユニット１１，１２は、移動機構３により、給電電極２１ａ，２１ｂから検査信号を導電パターン１０１に対して印加している状態、且つ導電パターン１０１からセンサ電極２２，２３が検査信号を検出している状態で、パターン上方に同じ離間距離（測定ギャップ）を維持した状態で、導電パターンの列と交差（横断）するように移動される。尚、検査信号供給ユニット１１及びセンサユニット１２は、導電パターンと、給電電極及びセンサ電極とが対向する位置であれば、検査対象の基板上で離れて配置（例えば、導電パターンの両端）されてもよいし、逆に、近接する位置に配置されてもよい。これは、デュアル検査部２が容量結合により、検出信号の変化を検出しているため、断線により導電パターンにおける容量が正常時とは異なり、検出信号の変化として現れるためである。
【００２２】
このように構成された第１の検査部と第２の検査部は、検査対象となる基板１００上方を一体的に、一度の走査移動において、それぞれに検査動作して、１つの導電パターン１０１に対して、共に１回ずつ検査を行い、それぞれに検出された検出信号Ｓ0a，Ｓ0bには同じ導電パターンに対する検査結果を含んでいる。つまり、検査部側から見ると、一度の検査で２回分の結果を得ることができ、導電パターン側から見るとわずかな時間差で２回の検査が実施されていることとなる。
【００２３】
図２（ａ）は、第１の検査部（センサ電極２２）による判定信号Ｓjaと、第２の検査部（センサ電極２３）による判定信号Ｓjbとを示し、それぞれの同じレベルの判定基準により欠陥候補の選出について説明するための図である。ここで、縦軸が信号値、横軸が時間軸又は導電パターン位置として示すことができる。
【００２４】
検査信号供給ユニット１１が導電パターン上方を移動した際に、給電電極２１ａと給電電極２１ｂからそれぞれに異なる導電パターンに容量結合により、交流の同じ検査信号が印加される。
【００２５】
センサ電極２２，２３は、パターン上方を通過しつつ、それぞれに導電パターン１０１を伝搬された検査信号を、センサ電極２２から検出信号Ｓ0aとして、センサ電極２３から  検出信号Ｓ0bをとして検出される。従って、１つの導電パターン１０１に対して、２つの検査結果が得ることができる。これらの２つの検査結果は、センサ間の距離分だけ、検査結果がずれているため、後述する距離軸マッチングによって、検査位置を合わせる。尚、ここでいう、距離軸マッチングとは、センサ電極２２とセンサ電極２３とが数パターン分の距離が離れて配置されているため、２つの検出データ（検出信号）においては、その距離分のずれが発生している。これらを比較するためには、その距離分の差を無くすように、検出データの何れか一方、又は両方を近づけて、軸上で同じ導電パターンが一致するように移動させることである。
【００２６】
図２（ｂ）においては、図２（ａ）に示すそれぞれの判定信号を横軸方向に移動させて、縦軸のおけるパターン位置を一致させている。  
まず、検出信号Ｓ0a，Ｓ0bは、検査信号処理部５に送出される。検査信号処理部５では、必要に応じて、検出信号の増幅、増幅された検出信号から雑音成分を除去が施されて、検査信号Ｓ0a，Ｓ0bから判定信号Ｓja，Ｓjbが生成され、欠陥判定部２０に送出される。
【００２７】
この欠陥判定部２０は、まず、図２（ａ）に示すように、予め定めた判定基準となる同じ基準信号と、それぞれの判定信号Ｓja，Ｓjbとを比較して、基準以下のピーク値に対して欠陥候補Ｐa1，Ｐa2及びＰb1，Ｐb2として選出する。尚、図２（ａ）においては、基準以下（又は、基準に満たない）のピーク信号を欠陥候補として設定したが、信号の検出方法においては、基準以上（又は、基準を超える）のピーク信号を欠陥候補として設定する場合もある。
【００２８】
これらの判定信号Ｓja，Ｓjbは、前述した様に、センサ電極２２とセンサ電極２３とが数パターン分の距離が離れて配置されているため、図２（ｂ）に示すように、判定信号におけるパターンが同じ位置（同じ検出タイミング）となるように、距離軸マッチングによりパターン位置を一致させる。
【００２９】
次に、図２（ｂ）に示す判定信号Ｓja，Ｓjbにおける欠陥候補Ｐa1，Ｐa2及びＰb1，Ｐb2を比較する。この比較においては、欠陥候補Ｐa2とＰb1とが縦軸上で一致している。他の欠陥候補Ｐa1とＰb2は、共に縦軸上に一致する欠陥候補が存在していない。この比較結果により、欠陥判定部２０は、欠陥候補Ｐa2とＰb1を真の欠陥と判定し、他の欠陥候補Ｐa1とＰb2は、疑似の欠陥候補即ち、ノイズ等であると判定する。即ち、導電パターンにおける欠陥は不変的なものであり、複数回検査を行っても、同様な欠陥を示す検出信号が得られる。これに対して、検出信号に重畳するノイズ等は、短時間で且つ単発的に発生する場合が多い。従って、最初の第１の検査部による検出信号に含まれる欠陥候補が、後の第２の検査部による検出信号に欠陥候補として含まれていない場合には、第１の検査部の欠陥候補は、ノイズ等に起因する疑似の欠陥と判定する。
【００３０】
本実施形態では、２組に給電電極とセンサ電極の対により構成される検査部であるが、勿論２組に限定されるものではなく、必要であれば、３組以上の給電電極とセンサ電極の対を用いてもよい。
【００３１】
以上のことから、本実施形態のデュアル検査部によれば、検査部側から見て、検査対象基板１００の上方を、一度の移動させた検査により、第１の検査部と第２の検査部がそれぞれに検査動作して、１つの導電パターン１０１に対して、共に１回ずつ検査が行われて、それぞれに検出信号Ｓ0a，Ｓ0bが得られる。これらの検出信号には、共に、同じ導電パターンに対する検査結果を含み、一度の検査で２回分の結果を得ることができる。これらの検出信号から欠陥候補を選出して、パターンの位置合わせを行った検出信号において、同じ位置に存在する欠陥候補を真の欠陥と判定する。
【００３２】
よって、一度の剣術動作によって得られた検査信号によって、的確な判定を実現して、ノイズ等が適正に除去された導電パターンの良否結果を得ることができる。
【００３３】
次に、本発明の第２の実施形態に係る回路パターン検査装置について説明する。  
図３は、第２の実施形態に係る回路パターン検査装置の全体構成を示すブロック図である。図４は、回路パターン検査装置におけるデュアル検査部の構成を示す図である。尚、図１に示した構成部位と同等の部位には同じ参照符号を付している。
【００３４】
この回路パターン検査装置１は、検査時に、前述した基板１００上に形成された複数列の導電体パターン１０１上方に所定距離を離間するように設定されるデュアル検査部２と、デュアル検査部２の離間（非接触）状態を維持し、導電体パターン１０１上方を交差するように移動させる移動機構３と、移動機構３を駆動制御する駆動制御部４と、デュアル検査部２に交流からなる検査信号を供給する検査信号供給部１３と、デュアル検査部２のセンサ電極２２ａ，２３ａから検出された検出信号からノイズ電極２２ｂ，２３ｂによるノイズ信号を差し引いた検出信号Ｓ0（Ｓ0a，Ｓ0b）を生成するノイズ除去部２４，２５と、検出信号Ｓ0（Ｓ0a，Ｓ0b）に対して、後述する信号処理を施す検査信号処理部５と、装置の全体を制御し且つ検査信号処理部５からの欠陥の判定信号Ｓjに基づく導電パターンの良不良の欠陥判定を行う制御部６と、制御部６に指示を行うためのキーボードやスイッチパネル等からなる入力部７と、入力された指示や検査結果を含む検査情報を表示する表示部８と、で構成される。
【００３５】
デュアル検査部２は、検査信号を導電パターン１０１に供給（印加）する検査信号供給ユニット１１と、導電パターン１０１に供給されている検査信号を検出するセンサユニット１２とで構成される。これらのユニットは、移動機構３により導電パターン１０１に対して、上方に同じ離間距離（測定ギャップ）を維持した状態で移動される。移動機構３には、図示していないが、導電パターン１０１との距離を測定するための距離センサと高さ調整機構が設けられており、検査時の検査信号供給ユニット１１及びセンサユニット１２の導電パターンからの離間距離が常に一定となるように調整されている。
【００３６】
図３に示すように、検査信号供給ユニット１１には、パターン数列分の距離が離れた導電パターン１０１上方にそれぞれ同じ距離を離間する給電電極２１ａ，２１ｂが設けられている。給電電極２１ａ，２１ｂには、検査信号供給部１３から、同電圧値で同じ周波数である交流の検査信号が同じ周期タイミングでそれぞれに印加される。これらの給電電極２１ａ，２１ｂの電極幅は、適宜設定されるものであり、検査信号が適正に供給できるのであれば、導電パターン１０１の幅以下であってもよいし、隣接する導電パターンに検査信号を印加しなければ、導電パターン１０１の幅以上を有してもよい。
【００３７】
本実施形態は、センサユニット１２には、それぞれに２つのセンサ電極が対となるセンサ対２２，２３が設けられている。
【００３８】
例えば、センサ対２２においては、一方のセンサ電極２２ａが給電電極２１ａと同じ導電パターン上方に対向できるように配置されている。また、対となるセンサ電極２２ｂは、センサ電極２２ａから数パターン離れた導電パターン１０１上方に対向するように配置されている。このセンサ電極２２ｂは、検査信号が供給されている導電パターンから数パターン離れている導電パターン上方に配置されて、ノイズを検出するように構成される。以下の説明において、このセンサ電極２２ｂをノイズ電極２２ｂと称する。
【００３９】
本実施形態のように、検査対象（導電パターン）に非接触な検査電極による容量結合を利用して測定する場合には、接触型センサのような絶対的な基準電位（例えば、ＧＮＤ：０Ｖ）が存在していない。従って、センサ電極２２ａと同じ特性を持つノイズ電極２２ｂを設けて、検査信号が供給されていない導電パターンに対して検出を行い、無信号状態の信号値、例えばノイズ信号を検出する。センサ電極２２ａにより検出された検査信号から重畳しているノイズを比較又は、差し引くことにより、適正な検出信号となる。
【００４０】
センサユニット１２により検出された実際の検出信号には、導電体パターンにおける配線ピッチに起因する周期的なノイズだけではなく、移動時に発生するメカサーボノイズ及び離間距離の変動及び周辺に配置された機器からのコモンモードノイズ（接地ライン上を伝搬するノイズ）の影響等の影響も含まれている。
【００４１】
本実施形態では、センサ電極２２ａから所定距離、例えば、２ｍｍ離れた位置にノイズ電極２２ｂを配置する。この構成により、センサ電極２２ａによる検出出力と、ノイズ電極２２ｂによる検出出力を検査信号処理部５に送出して、重畳しているノイズを差し引くことにより、仮想接地電位（ＧＮＤ）を作り出すと共に、ノイズ除去を行っている。
【００４２】
また本実施形態において、図１には、検査信号供給ユニット１１とセンサユニット１２を導電パターン１０１の両端に配置した例を示しているが、この配置は、一例として示しているだけであり、実際には、接近させて設けてもよい。また、検査箇所においても、導電パターン１０１の両端側ではある必要はない。検査信号供給ユニット１１とセンサユニット１２とが、１つのユニットとしてベースプレート上に近接配置した構成の場合、導電パターン上方であれば、中央側であっても、何れかの端側であっても交差するように移動させれば、検査を実施することができる。
【００４３】
本実施形態では、センサ電極２２ａ，２３ａ及びノイズ電極２２ｂ，２３ｂは、なるべく大きく信号値を検出するために、導電パターン１０１の幅以上で隣接する導電パターンには掛からない幅を有している。即ち、導電パターン１０１の幅と、隣接するパターンとのスペースの和（両側２つのスペース）以下の幅を有している。また、導電パターンに沿った方向については限定されず、適宜、電極の長さを設定してもよい。
【００４４】
次に、検査信号処理部５について説明する。  
検査信号処理部５は、平滑化部１４と、距離軸マッチング部１５と、差分値算出部１６と、微小変化強調部１７と、スパイクノイズ平滑化部１８とによる、各電子回路で構成される。さらに、導電パターン１０１に対する欠陥判定を行う制御部６内の欠陥判定部２０が用いられる。
【００４５】
検査信号処理部５は、入力された検査信号Ｓ0a，Ｓ0bに対して、平滑処理を行う平滑化処理と、前述した距離軸マッチング処理と、差分値算出処理と、微小変化強調処理と、スパイクノイズ平滑化処理とが順次行われる。検査信号は、これらの処理が施されて、欠陥の判定信号Ｓj（Ｓja，Ｓjb）に変換されて、全ての導電パターン１０１に対する欠陥判定を行う欠陥判定部２０に送出される。欠陥判定部２０では、それぞれの判定信号Ｓja，Ｓjbに基づき、欠陥の有無を判断して、その判断結果を表示部８の画面上に表示する。
【００４６】
制御部６は、装置全体の各構成部の制御を行うＣＰＵ（中央処理ユニット）１９と、欠陥判定部２０と、プログラムやデータに関する情報を記憶するメモリ９と、で構成される。
【００４７】
メモリ９は、一般的なメモリであり、例えば、ＲＯＭ、ＲＡＭ又はフラッシュメモリ等を利用して、制御用プログラム、各種演算用プログラム及びデータ（テーブル）等を記憶している。
【００４８】
次に、図５（ａ）〜（ｃ）及び図６（ａ）〜（ｃ）を参照して、検査信号処理部５の各構成部により処理について説明する。図７は、測定条件を示している。  
図５（ａ）は、センサ対２２，２３のそれぞれの検出信号Ｓ0（Ｓ0a，Ｓ0b）を示している。この検出信号Ｓ0は、前述したセンサ電極２２ａ，２３ｂによる検出信号からノイズ電極２２ｂ，２３ｂによる検出信号（ノイズ信号）の差を取り、ノイズの除去及び仮想接地電位（ＧＮＤ）が作られている信号である。
【００４９】
本実施形態では、前述したようにセンサ対２２，２３が複数の導電パターン分の間隔を空けて配置されているため、図４に示すように、基板１００上の導電パターン１０１の上方を移動させて、時系列的に検査を実施した場合、同じ導電パターン上を通過するときに時間差が発生する。このため、検出された検出信号Ｓ0a，Ｓ0bにおいては、図５（ａ）のＡ１、Ａ２、Ａ３に示すように時間差を持って、信号波形に同じ変化が生じている。
【００５０】
また、検査信号を導電パターンに印加した時には、外部から別途、ノイズが入り込み、検出信号にそのノイズが重畳して検出されている場合がある。このようなノイズの殆どが、瞬間的に加わっている場合が多く、２つのセンサ電極で時間をずらして、同じ導電パターンに対して検出すると、一方のセンサ電極でノイズが検出されたとしても、他方のセンサ電極には、そのノイズは検出されない。従って、この時間差を設けることにより、２つの電極の検出信号を比べれば、検出信号の変化かノイズか否かを見極めることができる。
【００５１】
次に、必要であれば、検出信号に対して平滑化処理を行い、検出信号の振幅と揺らぎを緩慢化する。ここで、揺らぎとは、図５（ａ）に示すように、信号全体（又は振幅の中心）が波打つように値（電圧値）が変化することをいう。図５（ｂ）は、平滑化部１４により検出信号に対して平滑化処理を行った検出信号Ｓ1（Ｓ1a，Ｓ1b）を示している。一般的な平滑化回路を用いて平滑化処理を施して、検出信号の振幅を鈍らせる。
【００５２】
平滑化された検出信号Ｓ1a，Ｓ1bは、まだ時間差（位相差）を有しているため、図５（ｃ）に示すように、距離軸マッチング部１５により２つの検出信号の位相を一致させたマッチング処理を施す。このマッチング処理により、図５（ａ）に示したＡ１に検出信号Ｓ2（Ｓ2a，Ｓ2b）を示す。このマッチング処理において、２つのセンサ電極間の距離と、検出時のセンサ電極の移動速度が既知であるため、移動距離差が容易に算出できる。その移動距離差分だけ一方の検出信号を移動させるだけでよい。
【００５３】
このマッチング処理により、同一の導電パターンにおける検出信号が一致する。これは例えば、図５（ａ）に示している同じ注目箇所を括るＡ１が傾いているが、マッチング処理を実施することにより、Ａ１が鉛直方向になり、その傾きが無くなり、一致したことを示している。
【００５４】
さらに、一致した検出信号Ｓ2a，Ｓ2bにそれぞれに対して、差分値算出部１６によりの差を取る。具体的には、図６（ａ）に示す差分信号Ｓ3（Ｓ3a，Ｓ3b）は、検出信号Ｓ2a，Ｓ2bが、ある間隔でサンプリングされた信号値であった場合に、直前の信号値との差分を取り、この差分の値でプロットされた信号である。このため、縦軸の出力電圧値が図５（ｃ）に比べて、２桁以上小さくなっている。また、この信号の差分を取ることにより、２つの差分信号Ｓ3a，Ｓ3bの変化の特徴のみを抽出され、且つ一致した仮想接地電位（ＧＮＤ）を作り出すことができる。仮想接地電位により、信号全体の揺らぎ（信号の振幅の基準値の上下変化）が無くなり、一定の基準値（０Ｖ）における振幅の信号となる。
【００５５】
図６（ｂ）には、微小変化強調部１７により差分信号Ｓ3a，Ｓ3bに強調処理を施した積信号Ｓ4を示している。この強調処理は、差分信号Ｓ3aと差分信号Ｓ3bとの積による演算処理（以下、積演算と称する）が行われる。この積演算は、同じ導電パターン１０１に不良個所があれば、差分信号Ｓ3a，Ｓ3bには、共に、信号値に変化が生じているため、これらを掛け合わせること（乗算）により、未処理の算出値よりも、その変化がより強調されることとなる。簡単に説明すると、例えば、正常時の信号値が３として、不良（欠陥有り）時の信号値が５とすれば、差の２により良否判定を行わなくてはならない。
【００５６】
しかし、本実施形態のように、同じ導電パターンから２回検出した信号どうしを掛け合わせるならば、正常時３×３＝９と、不良時５×５＝２５となり、９と２５の比較となり、その差１６により、良否判定を行えることとなる。  
本実施形態における図７による測定条件を用いた測定結果によれば、図６（ｂ）に示すＡ１，Ａ２，Ａ３の箇所の検出信号が強調されている。
【００５７】
次に、図６（ｃ）に示すように、強調処理された積信号Ｓ4に対して、一般的なフィルタ等を用いたスパイクノイズ平滑化部１８によって、スパイクノイズの平滑化処理を行う。この処理により極短時間で急峻な変化に対して緩慢化して、スパイクノイズを目立たなくすることにより、図６（ｃ）に示すような振幅の変化が緩慢化された信号（欠陥の判定信号Ｓj）を得ることができる。
【００５８】
次に、判定信号Ｓjは、制御部６に設けられた欠陥判定部２０に送出される。欠陥判定部２０においては、図６（ｃ）に示すような判別閾値が設定されている。この判別閾値は、判定信号Ｓjの正常時の値（信号Ｂ１，Ｂ２の範囲）に基づいて適宜、設定される。本実施形態では、一例として、判別閾値を正常時のピーク値の略２倍の０．０００１２Ｖに設定している。この判別閾値を越える信号値Ａ１，Ａ２，Ａ３が検出された導電パターン１０１に対して、３本の導電パターン１０１に欠陥（断線）が有ると判定される。尚、欠陥を有する導電パターン１０１は、グラフの横軸に示す移動距離に基づき、特定することができる。
【００５９】
以上説明したように、本実施形態の回路パターン検査装置においては、検査対象となる導電パターンに対して、移動される給電電極２１ａが対向した時に非接触で容量結合して、交流の検査信号が印加され、その時に該導電パターンに対向するセンサ電極２２ａより第１の検出信号が検出される。さらに、経時後に同じ導電パターンに対して、移動される給電電極２１ｂが対向した時に非接触で容量結合して、交流の検査信号が印加され、その時に、該導電パターンに対向するセンサ電極２３ａより第２の検出信号が検出される。
【００６０】
従って、本実施形態は、同じ導電パターンに対して、少なくとも２組のセンサ対により２回検出し、同期させた２つの検出信号に比較により、欠陥の有無を判定する。  
さらに、この比較による判定において、検出された２つの検出信号における変化が少ない場合には、これらの第１の検出信号と第２の検出信号との積を取って、欠陥箇所の信号変化を著しく強調させた欠陥判定信号を生成する。欠陥判定信号は、ノイズ電極の検出信号を用いて検出信号に定常的に重畳するノイズが除去される。
【００６１】
尚、本実施形態では、それぞれの導電パターンに対して、２組のセンサ対により２回検出した例について説明したが、勿論、限定されるものではなく、２組以上のセンサ対を用いて、２回以上の検出を行ってもよい。
【００６２】
また、前述した実施形態では、センサ電極とノイズ電極の一対のセンサであったが、センサ電極（第１のセンサ電極）が、ある導電パターンに対向した際に、隣の導電パターンに対向するように第２のセンサ電極を隣接して設けることにより、断線欠陥だけではなく、短絡欠陥も検出することが可能である。この場合に、第２のセンサ電極は、隣りの導電パターンに必ずしも正対する必要はなく、その導電パターンの一部に掛かるだけでも検出することは可能である。また、前述した例では、２つの検出信号の積を取った強調処理を行っているが、２つ以上の検出信号における積演算であってもよい。
【００６３】
また、本実施形態では、検査時間の効率化（検査処理速度の向上）を図るため、デュアル検査部２を搭載して移動機構３により、移動した状態で連続的に検査を行った例である。これに対して、既存の回路パターン検査装置が例えば、１つのセンサ対（センサ電極とノイズ電極）又は１つのセンサ（センサ電極のみ）を搭載する検査装置にも本発明の検査方法を適用することは可能である。即ち、配列された導電パターン毎に移動を停止するステップ移動を行い、停止時に少なくとも２回の検査を行うことで、時間差を有する検査結果を得ることができる。これらの検査結果に対して、前述した検査信号の積演算を行うことにより、図６（ｃ）で示したような同様な欠陥判定信号を得ることができ、同等の検査結果を得ることができる。
【００６４】
つまり、１つの検査対象に時間差を有した複数の検出信号が取得できるのであれば、どのような検査装置に対しても適用することは可能であり、同等の検査結果を得ることができる。尚、現実的にはあり得ないが、単なる理論として、明らかにノイズが重畳していない検出信号であれば、１つの検出信号Ｓの積（Ｓ×Ｓ）であっても同等の検査結果を得ることができる。その積演算においては、複数回行ってもよい。
【００６５】
また本実施形態とは別に、検出信号に対して、ある係数を乗算しても、正常な導電パターンの検出信号と、欠陥を有する導電パターンの検出信号との差をある程度大きくすることができるが、それぞれの導電パターンの検出信号に同じ係数を掛けているため、検出信号間の差が小さい場合には、その差があまり大きくはならず、必ずしも判定が容易になるとは言えず、且つ係数における根拠が無く、発明の主旨から逸脱することとなるため採用していない。
【００６６】
次に図7に示す第２の実施形態に係るデュアル検査部を搭載する回路パターン検査装置について説明する。  
前述した第１の実施形態における検査信号処理部５に電子回路を用いて実施した例であったが、本実施形態は、検査信号処理部５が実行する信号処理を、アプリケーションソフトウエア（高精度欠陥抽出アルゴリズム）により実現する例である。
【００６７】
本実施形態は、まず、センサ対２２，２３により得られた検出信号を各検出信号の振幅と揺らぎを緩慢化するための平滑化処理を施す［平滑化処理工程］。  
次に、センサ対２２により得られた検出信号をｆnとし、センサ対２３により得られた検出信号をｇnとし、欠陥を含む波形を形成するデータ点数の１／２をｉとした場合に、そのｉのデータ数の差分を
【数１】
2011033542.tif 000003
【００６８】
として表す［差分値算出処理工程］。
【００６９】
ここで、両検出信号は、距離的なオフセット（導電パターンの数列分の距離）を含んでおり、その間の導電パターン数がｊ個であるとする。この時、導電パターン数となるｊ個分だけ移動させて、マッチングを取り、同一タイミングとする［距離軸のマッチング処理工程］。即ち、両検出信号の距離軸を一致させる。  
次に、このような差分及びマッチング処理を施した検出信号ｆ'nとｇ'nにおける積（式１）
【数２】
2011033542.tif 000004
【００７０】
を算出し、前述したように、欠陥箇所を示す急峻な変化のみを強調させる［微小変化強調］。
【００７１】
さらにｈnを欠陥形状のデータ数２ｉで時系列の和となる、  
【数３】
2011033542.tif 000005
【００７２】
を算出し、スパイクノイズ成分を平滑化する［スパイクノイズ平滑化工程］。このように処理により、最終的には、図６（ｃ）に示すように、欠陥を有する導電パターン信号Ａ１，Ａ２，Ａ３を含む欠陥判定信号が生成される。
【００７３】
本実施形態において、得られた欠陥判定信号は、正常な導電パターンにおける測定標準偏差６σ＝０．００００８２５４に対して、欠陥を有する導電パターンにおける最低レベルが０．０００１７４８となっている。即ち、欠陥の無い正常な導電パターンにおける最低標準偏差の６倍（６σ）となり、実に、欠陥部の変化の差は１．９６倍となる。
【００７４】
従って、欠陥判定を行うための適正な閾値を設けることが容易となる。断線等が生じている不良な導電パターンを容易に検出することができる。このような測定を評価回数として３０回ほど繰り返し行った結果、同じ測定結果を得られており、安定性も確認している。
【００７５】
以上説明したように、デュアル検査部を搭載する回路パターン検査装置によれば、ソフトウエア（欠陥抽出アルゴリズム）を用いて検出信号に対する欠陥抽出処理による欠陥判定信号を生成することにより、検査信号処理部が回路素子で構成されなくとも、前述した第１の実施形態における同等の作用効果を得ることができる。尚、本実施形態においても、２つの検出信号を用いた積演算により欠陥判定信号を生成しているが、検出信号は２つ以上であってもプログラムの書き換えにより容易に対応することができる。
【００７６】
また、前述したアプリケーションソフトウエアの処理において、平滑化処理に対しては、例えば、平滑化微分法等の公知な手法を用いることができ、スパイクノイズ平滑化処理には、平滑化法又は積算平均法等の公知な手法を用いることができる。
【００７７】
尚、前述した各実施形態における検査信号は、正弦波からなる交流信号に限定されるものではなく、パルス信号であってもよい。又その周波数においても任意であり、検査対象となる導電パターンに応じて、好適する周波数を適宜、設定すればよい。
【００７８】
図７には、検査対象として、ガラス製の基板上に画像表示装置に用いられる９個の表示デバイスが配置された例を示している。
【００７９】
これらの表示デバイスは、製造工程の途中であり、基板１００上に導電パターン１０１が形成されている状態である。基板１００は、回路パターン検査装置１の検査テーブル１０２上に載置され、検査中は動かないように図示しない吸着機構により保持されている。以下の説明において、検査信号供給ユニット１１とセンサユニット１２を検査部と称する。
【００８０】
検査部は、移動機構３のアーム部１０３に設けられており、これらは移動機構３のアーム部１０３の長手方向に対して、個々に摺動可能に設けられている。摺動機構としては、図示しないリニアモータ等が用いられている。また、移動機構３は、アーム部１０３の両端側に配置されたガイド部材１０４により、ガイド部材１０４の長手方向に往復移動が可能である。図７は、それぞれの部材が初期状態の位置にある状態を示している。
【００８１】
検査開始の指示により、初期位置Ｄ０に待機されている検査部は、アーム部１０３における位置Ｄ１に移動する。この移動と共に、アーム部１０３は、ガイド部材１０４の長手方向に移動して位置Ｄ２に向かう。この時、検査部は、対向する導電パターンに対して、検出を実施する。この例では、検査部が位置Ｄ２に到達するまでに、３個の表示デバイスに対して検査を実施する。
【００８２】
次に、検査部がアーム部１０３上を位置Ｄ３まで移動する。アーム部１０３は、これまでとは方向の位置Ｄ４に移動する。検査部は、位置Ｄ４に到達するまでに、３個の表示デバイスに対して検査を実施する。位置Ｄ４に到達した後、検査部は、アーム部１０３における位置Ｄ５に移動する。その後、アーム部１０３は、ガイド部材１０４の長手方向に移動して位置Ｄ６に向かう。この移動時に、検査部は、位置Ｄ６に到達するまでに、３個の表示デバイスに対して検査を実施する。アーム部１０３が位置Ｄ６に到達すれば、この基板における表示デバイスの導電パターンに対する検出動作は終了する。検査終了後は、アーム部１０３が初期位置へ復帰し、検査部も位置Ｄ０に戻る。
【００８３】
また、導電パターンの良否判定においては、検査信号等を取得した後、アーム部１０３が移動中であっても判定処理を行われており、演算速度から見て導電パターンの検出動作の終了と共に、判定も終了する。
【００８４】
また、この例では、１台のデュアル検査部がアーム部１０３に搭載されて、アーム部１０３上を移動することにより、２次元的（マトリックス状）に配置された複数の表示デバイスの検査を行っているが、この表示デバイスの配置であれば、例えば、３台のデュアル検査部をアーム部１０３に設けて、アーム部１０３のワンパス移動により、検査を実行できるように構成してもよい。
【００８５】
尚、前述した本実施形態では、センサ対として２つの電極によりセンサを構成しているが、これに限定されるものではなく、１つのセンサを３つ以上の電極により構成してもよい。例えば、給電電極が対向する導電パターンと対向する第１のセンサ電極（断線検出）、第１のセンサ電極が対向する導電パターンに隣接する導電パターンと対向する第２のセンサ電極（短絡検出）、及びこれより数パターン離れた導電パターンに対向するセンサ電極（ノイズ検出：ノイズ電極）の構成例がある。
【００８６】
前述した実施形態は、以下の発明を含んでいる。  
（１）基板上に配列された複数の導電パターンに対して、予め定めたパターン数を離れた少なくとも２つの前記導電パターンの上方に離間して容量結合によりに、同じ交流信号からなる検査信号を継続的に印加する第１及び第２の給電電極と、前記検査信号が印加された前記２つの導電パターン上方に離間してそれぞれに容量結合し、印加された前記検出信号を取得する第１及び第２のセンサ電極と、を有する検査部と、
前記給電電極及び前記センサ電極の離間状態を保持して前記導電パターンの延伸方向と交差する方向に移動する移動機構と、
同じ導電パターンから前記第１及び第２のセンサ電極により取得されたそれぞれの検出信号に対して、印加した時間差分の位相のずれが無くなるように揃えて、予め設定した閾値を越える局所信号を検出する検査信号処理部と、
前記検査信号処理部により、前記第１及び第２のセンサ電極から共に検出された局所信号を検査結果とし、何れか一方のセンサ電極が検出した局所信号をノイズと判断する欠陥判定部と、
を具備することを特徴とする回路パターン検査装置。
【００８７】
（２）前記検査部において、
前記第１の給電電極及び第１のセンサ電極をと
前記第２の給電電極及び第２のセンサ電極をと、前記第１の導電パターンから任意のパターン列分の距離を離れた第２の導電パターンの上方に離間して配置される第１のノイズ電極と、を有する第１の検査部と、
前記第１の給電電極が対向する前記第１の導電パターンから任意のパターン列分の距離を離れた第３の導電パターンの上方に離間して配置される第２の給電電極及び第２のセンサ電極と、前記第３の導電パターンから任意のパターン列分の距離を離れた第４の導電パターンの上方に離間して配置される第２のノイズ電極と、を有する第２の検査部と、
を備えるデュアル検査部に構成されていることを特徴とする前記（１）項に記載の回路パターン検査装置。
【００８８】
（３）前記第１の給電電極及び前記第２の給電電極は、前記第１の導電パターンに対して、前記離間した非接触状態で容量結合により前記検査信号を印加し、
前記第１のセンサ電極及び前記第２のセンサ電極は、前記第１の導電パターンに対して、前記離間した非接触状態で容量結合により前記検査信号を取得して、前記検出信号を生成し、
前記第１のノイズ電極及び前記第２のノイズ電極は、前記第２の導電パターンの上方に離間して非接触状態で容量結合により、該第２の導電パターンの電位に重畳するノイズを検出し、
前記第１の検査部及び前記第２の検査部から送出される前記検出信号は、前記第１のセンサ電極及び前記第２のセンサ電極が検出した前記検出信号から前記ノイズが除去された検出信号であることを特徴とする前記（２）項に記載の回路パターン検査装置。
【００８９】
（４）前記検査信号処理部において、
前記検査部により検出された、少なくとも２つの検出信号に対して平滑化処理を施し、それぞれの前記検出信号の振幅と揺らぎを緩慢化するための平滑化部と、
平滑化された前記検出信号に対して、前記時間差を無くすように揃える距離軸マッチング部と、
前記検出信号から任意の間隔で信号値を取り出し、時系列的に直前の信号値との差分により、それぞれの差分信号を生成する差分値算出部と、
前記差分信号を掛け合わせて、該差分信号に含まれる信号値に変化が生じる欠陥発生箇所がより強調される積信号を生成する微小変化強調部と、
前記積信号に含まれるスパイクノイズを平滑化して緩慢化して前記欠陥判定信号を生成するスパイクノイズ平滑化部と、
を備えることを特徴とする前記（１）項に記載の回路パターン検査装置。
【００９０】
（５）基板上に配列された複数の導電パターンの欠陥を検出する回路パターン検査装置の検査方法であって、
前記導電パターン毎に、交流信号からなる検査信号を時間差を設けて少なくとも２回印加し、
前記導電パターンを伝搬した前記検査信号を容量結合により検出して、それぞれの検出信号を取得し、
検出された前記検出信号に対して、前記時間差を無くすように揃えて、前記検出信号どうしを掛け合わせる積演算を行い、前記検出信号における欠陥箇所を強調させた欠陥判定信号を生成し、
前記欠陥判定信号に対して、予め設定された判定閾値を用いて、欠陥を有する導電パターンを検出することを特徴とする回路パターン検査装置の検査方法。
【００９１】
（６）複数の導電パターンが列状に形成された基板を検査対象とし、
前記導電パターンのうちの第１の導電パターンに対して、共に、対向する第１の給電電極及び第１のセンサ電極を備える第１のセンサ対と、
前記第１の導電パターンから予め定めたパターン数分の距離を離れた第２の導電パターンに対して、共に、対向する第２の給電電極及び第２のセンサ電極を備える第２のセンサ対と、
前記第１のセンサ対と前記第２のセンサ対を保持し、前記導電パターンの上方に一定の距離で離間して、該導電パターンの列を交差するように移動させる移動部と、
前記移動部による前記第１のセンサ対と前記第２のセンサ対の移動中に、前記第１の給電電極及び前記第２の給電電極に、交流信号からなる同一の検査信号を供給し、前記第１の給電電極及び前記第２の給電電極が対向して容量結合した、それぞれの導電パターンに該検査信号を順次印加させる検査信号供給部と、
前記検査信号が印加された前記導電パターンにそれぞれに容量結合して前記第１のセンサ電極及び前記第２のセンサ電極により取得された、第１の検出信号及び第２の検出信号の各信号上における導電パターンの位置が一致するように、いずれかの検出信号を前記距離だけ移動させる距離軸マッチングを行う距離軸マッチング部と、
前記検出信号から任意の間隔で信号値を取り出し、時系列的に直前の信号値との差分により、第１及び第２の検出信号における差分信号を、それぞれに生成する差分値算出部と、
前記差分信号を掛け合わせて、該差分信号に含まれる信号の局所的に変化をより強調する積信号を生成する微小変化強調部と、
前記積信号を予め定めた判定基準値と比較して、導電パターンの欠陥の有無を判定する欠陥判定部と、
を具備することを特徴とする回路パターン検査装置。
【符号の説明】
【００９２】
１…回路パターン検査装置、２…デュアル検査部、３…移動機構、４…駆動制御部、５…検査信号処理部、６…制御部、７…入力部、８…表示部、９…メモリ、１１…検査信号供給ユニット、１２…センサユニット、１３…検査信号供給部、１４…平滑化部、１５…距離軸マッチング部、１６…差分値算出部、１７…微小変化強調部、１８…スパイクノイズ平滑化部、１９…ＣＰＵ、２０…欠陥判定部、２１ａ，２１ｂ…給電電極、２２，２３…センサ対、２２ａ，２３ａ…センサ電極、２２ｂ，２３ｂ…ノイズ電極（センサ電極）１００…基板、１０１…導電パターン、１０３…アーム部、１０４…ガイド部材。
【図１】
2011033542.tif 000006
【図２】
2011033542.tif 000007
【図３】
2011033542.tif 000008
【図４】
2011033542.tif 000009
【図５】
2011033542.tif 000010
【図６】
2011033542.tif 000011
【図７】
2011033542.tif 000012
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
複数の導電パターンが列状に形成された基板を検査対象とし、
前記導電パターンのうちの第１の導電パターンに対して、共に、対向する第１の給電電極及び第１のセンサ電極を備える第１のセンサ対と、
前記第１の導電パターンから予め定めたパターン数分の距離を離れた第２の導電パターンに対して、共に、対向する第２の給電電極及び第２のセンサ電極を備える第２のセンサ対と、
前記第１のセンサ対と前記第２のセンサ対を保持し、前記導電パターンの上方に一定の距離で離間して、該導電パターンの列を交差するように移動させる移動部と、
前記移動部による前記第１のセンサ対と前記第２のセンサ対の移動中に、前記第１の給電電極及び前記第２の給電電極に、交流信号からなる同一の検査信号を供給し、前記第１の給電電極及び前記第２の給電電極が対向して容量結合した、それぞれの導電パターンに該検査信号を順次印加させる検査信号供給部と、
前記検査信号が印加された前記導電パターンにそれぞれに容量結合して前記第１のセンサ電極及び前記第２のセンサ電極により同時に取得された第１の検出信号及び第２の検出信号に対して、予め定めた判定基準値を比較して欠陥候補を選出し、さらに、前記第１の検出信号上及び前記第２の検出信号上における導電パターンの位置が一致するように、いずれかの検出信号の位置を移動させる距離軸マッチングを行う離軸マッチング部を有する検査信号処理部と、
前記導電パターンの位置が一致された前記第１の検出信号と前記第２の検出信号における前記欠陥候補どうしを比較し、同じパターン位置に共通して存在する欠陥候補を前記導電パターンの真の欠陥と判定する第１の判定を行う欠陥判定部と、
を具備することを特徴とする回路パターン検査装置。
【請求項２】
前記検査信号処理部は、
前記距離軸マッチング部に加えて、
前記距離軸マッチングされた、前記第１の検出信号から任意の間隔で信号値を取り出し、時系列的に直前の信号値との差分による第１の差分信号と、前記第２の検出信号から任意の間隔で信号値を取り出し、時系列的に直前の信号値との差分により第２の差分信号とを生成する差分値算出部と、
前記第１の差分信号と前記第２の差分信号とを掛け合わせて、これらの差分信号に含まれる変化した信号値からなる前記欠陥候補どうしの積により信号値の変化をより大きくした積信号を生成する微小変化強調部と、
を備え、
前記欠陥判定部において、第２の判断として、予め定めた判別閾値を越えた前記積信号に含まれる欠陥候補を前記導電パターンの真の欠陥と判定することを特徴とする請求項１に記載の回路パターン検査装置。
【請求項３】
前記回路パターン検査装置において、
前記第１のセンサ対は、前記第１のセンサ電極から任意のパターン数を離れた第３の導電パターンの上方に離間して配置される第１のノイズ電極を有し、及び、
前記第２のセンサ対は、前記第２のセンサ電極から任意のパターン数を離れた第４の導電パターンの上方に離間して配置される第２のノイズ電極を有することを特徴とする請求項１に記載の回路パターン検査装置。
【請求項４】
複数の導電パターンが列状に形成された基板を検査対象とし、欠陥を有する導電パターンを検出するための前記導電パターンの列と交差する方向に所定のパターン数の距離を空けて並設される少なくとも２組の給電電極及びセンサ電極の対で構成された検査部を備える回路パターン検査装置の検査方法であって、
前記列と交差する方向に前記検査部を移動させて、それぞれの前記給電電極から交流信号からなる同一の検査信号を離間する異なる導電パターンに容量結合により順次印加し、
前記検査信号が印加されたそれぞれの前記導電パターンを伝搬した前記検査信号を容量結合により、それぞれに前記センサ電極から第１の検出信号及び第２の検出信号を同時に取得し、
前記第１の検出信号及び第２の検出信号に対して、予め定めた判定基準値と比較して欠陥候補を選出し、
前記第１の検出信号上及び前記第２の検出信号上における導電パターンの位置が一致するように、いずれかの検出信号の位置を移動させて距離軸マッチングを取り、
前記導電パターンの位置が一致された前記第１の検出信号と前記第２の検出信号における前記欠陥候補どうしを比較し、同じパターン位置に共通して存在する欠陥候補を前記導電パターンの真の欠陥と判定する第１の判定を行うことを特徴とする回路パターン検査装置の検査方法。
【請求項５】
前記導電パターンの真の欠陥と判定する際に、
共に前記距離軸マッチングにより位置合わせされた、前記第１の検出信号から任意の間隔で信号値を取り出し、時系列的に直前の信号値との差分から第１の差分信号と、前記第２の検出信号から任意の間隔で信号値を取り出し、時系列的に直前の信号値との差分から第２の差分信号と、をそれぞれに生成し、
前記第１の差分信号と前記第２の差分信号とを掛け合わせて、これらの差分信号に含まれる変化した信号値どうしの積により信号値の変化をより大きくした積信号を生成し、
予め定めた判別閾値を越えた前記積信号に含まれる欠陥候補を前記導電パターンの真の欠陥と判定する第２の判定を行うことを特徴とする請求項４に記載の回路パターン検査装置の検査方法。
【手続補正２】
【補正対象書類名】明細書
【補正対象項目名】００１１
【補正方法】変更
【補正の内容】
【００１１】
上記目的を達成するために、本発明に従う実施形態は、複数の導電パターンが列状に形成された基板を検査対象とし、前記導電パターンのうちの第１の導電パターンに対して、共に、対向する第１の給電電極及び第１のセンサ電極を備える第１のセンサ対と、前記第１の導電パターンから予め定めたパターン数分の距離を離れた第２の導電パターンに対して、共に、対向する第２の給電電極及び第２のセンサ電極を備える第２のセンサ対と、前記第１のセンサ対と前記第２のセンサ対を保持し、前記導電パターンの上方に一定の距離で離間して、該導電パターンの列を交差するように移動させる移動部と、前記移動部による前記第１のセンサ対と前記第２のセンサ対の移動中に、前記第１の給電電極及び前記第２の給電電極に、交流信号からなる同一の検査信号を供給し、前記第１の給電電極及び前記第２の給電電極が対向して容量結合した、それぞれの導電パターンに該検査信号を順次印加させる検査信号供給部と、前記検査信号が印加された前記導電パターンにそれぞれに容量結合して前記第１のセンサ電極及び前記第２のセンサ電極により同時に取得された第１の検出信号及び第２の検出信号に対して、予め定めた判定基準値を比較して欠陥候補を選出し、さらに、前記第１の検出信号上及び前記第２の検出信号上における導電パターンの位置が一致するように、いずれかの検出信号の位置を移動させる距離軸マッチングを行う離軸マッチング部を有する検査信号処理部と、前記導電パターンの位置が一致された前記第１の検出信号と前記第２の検出信号における前記欠陥候補どうしを比較し、同じパターン位置に共通して存在する欠陥候補を前記導電パターンの真の欠陥と判定する欠陥判定部と、を具備する回路パターン検査装置を提供する。
【手続補正３】
【補正対象書類名】明細書
【補正対象項目名】００３２
【補正方法】変更
【補正の内容】
【００３２】
よって、一度の検出動作によって得られた検査信号によって、的確な判定を実現して、ノイズ等が適正に除去された導電パターンの良否結果を得ることができる。
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
複数の導電パターンが列状に形成された基板を検査対象とし、
前記導電パターンのうちの第１の導電パターンに対して、共に、対向する第１の給電電極及び第１のセンサ電極を備える第１のセンサ対と、
前記第１の導電パターンから予め定めたパターン数分の距離を離れた第２の導電パターンに対して、共に、対向する第２の給電電極及び第２のセンサ電極を備える第２のセンサ対と、
前記第１のセンサ対と前記第２のセンサ対を保持し、前記導電パターンの上方に一定の距離で離間して、該導電パターンの列を交差するように移動させる移動部と、
前記移動部による前記第１のセンサ対と前記第２のセンサ対の移動中に、前記第１の給電電極及び前記第２の給電電極に、交流信号からなる同一の検査信号を供給し、前記第１の給電電極及び前記第２の給電電極が対向して容量結合した、それぞれの導電パターンに該検査信号を順次印加させる検査信号供給部と、
前記検査信号が印加された前記導電パターンにそれぞれに容量結合して前記第１のセンサ電極及び前記第２のセンサ電極により同時に取得された第１の検出信号及び第２の検出信号に対して、予め定めた判定基準値を比較して欠陥候補を選出し、さらに、前記第１の検出信号上及び前記第２の検出信号上における導電パターンの位置が一致するように、いずれかの検出信号の位置を移動させる距離軸マッチングを行う距離軸マッチング部を有する検査信号処理部と、
前記導電パターンの位置が一致された前記第１の検出信号と前記第２の検出信号における前記欠陥候補どうしを比較し、同じパターン位置に共通して存在する欠陥候補を前記導電パターンの真の欠陥と判定する第１の判定を行う欠陥判定部と、
を具備することを特徴とする回路パターン検査装置。
【請求項２】
前記検査信号処理部は、
前記距離軸マッチング部に加えて、
前記距離軸マッチングされた、前記第１の検出信号から任意の間隔で信号値を取り出し、時系列的に直前の信号値との差分による第１の差分信号と、前記第２の検出信号から任意の間隔で信号値を取り出し、時系列的に直前の信号値との差分により第２の差分信号とを生成する差分値算出部と、
前記第１の差分信号と前記第２の差分信号とを掛け合わせて、これらの差分信号に含まれる変化した信号値からなる前記欠陥候補どうしの積により信号値の変化をより大きくした積信号を生成する微小変化強調部と、
を備え、
前記欠陥判定部において、第２の判断として、予め定めた判別閾値を越えた前記積信号に含まれる欠陥候補を前記導電パターンの真の欠陥と判定することを特徴とする請求項１に記載の回路パターン検査装置。
【請求項３】
前記回路パターン検査装置において、
前記第１のセンサ対は、前記第１のセンサ電極から任意のパターン数を離れた第３の導電パターンの上方に離間して配置される第１のノイズ電極を有し、及び、
前記第２のセンサ対は、前記第２のセンサ電極から任意のパターン数を離れた第４の導電パターンの上方に離間して配置される第２のノイズ電極を有することを特徴とする請求項１に記載の回路パターン検査装置。
【請求項４】
複数の導電パターンが列状に形成された基板を検査対象とし、欠陥を有する導電パターンを検出するための前記導電パターンの列と交差する方向に所定のパターン数の距離を空けて並設される少なくとも２組の給電電極及びセンサ電極の対で構成された検査部を備える回路パターン検査装置の検査方法であって、
前記列と交差する方向に前記検査部を移動させて、それぞれの前記給電電極から交流信号からなる同一の検査信号を離間する異なる導電パターンに容量結合により順次印加し、
前記検査信号が印加されたそれぞれの前記導電パターンを伝搬した前記検査信号を容量結合により、それぞれに前記センサ電極から第１の検出信号及び第２の検出信号を同時に取得し、
前記第１の検出信号及び第２の検出信号に対して、予め定めた判定基準値と比較して欠陥候補を選出し、
前記第１の検出信号上及び前記第２の検出信号上における導電パターンの位置が一致するように、いずれかの検出信号の位置を移動させて距離軸マッチングを取り、
前記導電パターンの位置が一致された前記第１の検出信号と前記第２の検出信号における前記欠陥候補どうしを比較し、同じパターン位置に共通して存在する欠陥候補を前記導電パターンの真の欠陥と判定する第１の判定を行うことを特徴とする回路パターン検査装置の検査方法。
【請求項５】
前記導電パターンの真の欠陥と判定する際に、
共に前記距離軸マッチングにより位置合わせされた、前記第１の検出信号から任意の間隔で信号値を取り出し、時系列的に直前の信号値との差分から第１の差分信号と、前記第２の検出信号から任意の間隔で信号値を取り出し、時系列的に直前の信号値との差分から第２の差分信号と、をそれぞれに生成し、
前記第１の差分信号と前記第２の差分信号とを掛け合わせて、これらの差分信号に含まれる変化した信号値どうしの積により信号値の変化をより大きくした積信号を生成し、
予め定めた判別閾値を越えた前記積信号に含まれる欠陥候補を前記導電パターンの真の欠陥と判定する第２の判定を行うことを特徴とする請求項４に記載の回路パターン検査装置の検査方法。
【手続補正２】
【補正対象書類名】明細書
【補正対象項目名】００１１
【補正方法】変更
【補正の内容】
【００１１】
上記目的を達成するために、本発明に従う実施形態は、複数の導電パターンが列状に形成された基板を検査対象とし、前記導電パターンのうちの第１の導電パターンに対して、共に、対向する第１の給電電極及び第１のセンサ電極を備える第１のセンサ対と、前記第１の導電パターンから予め定めたパターン数分の距離を離れた第２の導電パターンに対して、共に、対向する第２の給電電極及び第２のセンサ電極を備える第２のセンサ対と、前記第１のセンサ対と前記第２のセンサ対を保持し、前記導電パターンの上方に一定の距離で離間して、該導電パターンの列を交差するように移動させる移動部と、前記移動部による前記第１のセンサ対と前記第２のセンサ対の移動中に、前記第１の給電電極及び前記第２の給電電極に、交流信号からなる同一の検査信号を供給し、前記第１の給電電極及び前記第２の給電電極が対向して容量結合した、それぞれの導電パターンに該検査信号を順次印加させる検査信号供給部と、前記検査信号が印加された前記導電パターンにそれぞれに容量結合して前記第１のセンサ電極及び前記第２のセンサ電極により同時に取得された第１の検出信号及び第２の検出信号に対して、予め定めた判定基準値を比較して欠陥候補を選出し、さらに、前記第１の検出信号上及び前記第２の検出信号上における導電パターンの位置が一致するように、いずれかの検出信号の位置を移動させる距離軸マッチングを行う距離軸マッチング部を有する検査信号処理部と、前記導電パターンの位置が一致された前記第１の検出信号と前記第２の検出信号における前記欠陥候補どうしを比較し、同じパターン位置に共通して存在する欠陥候補を前記導電パターンの真の欠陥と判定する欠陥判定部と、を具備する回路パターン検査装置を提供する。